(57)【要約】      （修正有）【課題】遊技施設への導入時において各搬送制御部の号機に係る情報の設定に必要な作業時間を大幅に短縮することができ、また、同一の遊技島内で搬送制御部の位置が変更になった場合でも対応することができる紙幣搬送システムおよびその制御方法を提供する。【解決手段】紙幣搬送システム１０は、直列に並ぶよう配置され、各々が紙幣の搬送を行う複数の紙幣搬送部と、複数の紙幣搬送部の各々に対応して設けられ、対応する紙幣搬送部による紙幣の搬送を制御する複数の搬送制御部（例えば、搬送制御基板２７０）と、複数の搬送制御部のうち少なくとも一つの搬送制御部に通信可能に接続された本体制御部８３０とを備えている。本体制御部８３０は、各搬送制御部の号機に係る情報を、紙幣搬送部の配置順に合わせて自動で設定することができるようになっている。【選択図】図４
2016083269.tif 000002
【特許請求の範囲】
【請求項１】
直列に並ぶよう配置され、各々が紙幣の搬送を行う複数の紙幣搬送部と、
複数の前記紙幣搬送部の各々に対応して設けられ、対応する前記紙幣搬送部による紙幣の搬送を制御する複数の搬送制御部と、
複数の前記搬送制御部のうち少なくとも一つの前記搬送制御部に通信可能に接続された本体制御部と、
を備え、
前記本体制御部は、各前記搬送制御部の号機に係る情報を、前記紙幣搬送部の配置順に合わせて自動で設定することができる、紙幣搬送システム。
【請求項２】
前記本体制御部は、号機設定信号を各前記搬送制御部に送信する号機設定信号送信手段と、各前記搬送制御部から送信された、前記号機設定信号に対する応答信号を受信する応答信号受信手段とを有しており、
前記本体制御部は、前記応答信号受信手段により受信された、各前記搬送制御部から送信された応答信号に基づいて、各前記搬送制御部の号機に係る情報を設定することができる、請求項１記載の紙幣搬送システム。
【請求項３】
前記搬送制御部の位置が変更された場合に、前記本体制御部は、前記応答信号受信手段により受信された、各前記搬送制御部から送信された応答信号に基づいて、各前記搬送制御部の号機に係る情報を自動的に変更することができる、請求項２記載の紙幣搬送システム。
【請求項４】
前記本体制御部において号機に係る情報が設定されている前記搬送制御部が、前記本体制御部において号機に係る情報が設定されていない前記搬送制御部と交換された場合に、前記本体制御部は、号機に係る情報が設定されていない前記搬送制御部に対して号機に係る情報を自動的に割り振ることができる、請求項２または３記載の紙幣搬送システム。
【請求項５】
互いに隣り合う２つの前記紙幣搬送部の各々に対応する２つの前記搬送制御部は制御線により通信可能に接続されており、
複数の前記搬送制御部のうち制御線により前記本体制御部に直接的に通信可能に接続されていない前記搬送制御部は、別の前記搬送制御部を介して前記本体制御部に対して信号の送受信を行うことができる、請求項１乃至４のいずれか一項に記載の紙幣搬送システム。
【請求項６】
各前記搬送制御部は、対応する前記紙幣搬送部の本体部分に設けられている、請求項１乃至５のいずれか一項に記載の紙幣搬送システム。
【請求項７】
直列に並ぶよう配置され、各々が紙幣の搬送を行う複数の紙幣搬送部と、複数の前記紙幣搬送部の各々に対応して設けられ、対応する前記紙幣搬送部による紙幣の搬送を制御する複数の搬送制御部と、複数の前記搬送制御部のうち少なくとも一つの前記搬送制御部に通信可能に接続された本体制御部とを備えた紙幣搬送システムの制御方法であって、
前記本体制御部により号機設定信号を各前記搬送制御部に送信する工程と、
各前記搬送制御部から送信された、前記号機設定信号に対する応答信号を前記本体制御部により受信する工程と、
前記本体制御部において、各前記搬送制御部から送信された応答信号に基づいて、各前記搬送制御部の号機に係る情報を設定する工程と、
を備えた、紙幣搬送システムの制御方法。
【発明の詳細な説明】
【技術分野】
【０００１】
本発明は、直列に並ぶよう配置され、各々が紙幣の搬送を行う複数の紙幣搬送部を備えた紙幣搬送システムおよびこのような紙幣搬送システムの制御方法に関する。
【背景技術】
【０００２】
パチンコ店等の遊技施設には、複数の遊技台および複数の台間機（貸出処理機）を所定方向に交互に並べて配置することによって形成された遊技島が存在している。台間機は、紙幣を受け付けることによって、遊技媒体の貸出処理を行う機能を備えている。また、遊技島において、遊技台の背面側の空間には、台間機に入金された紙幣を、所定の紙幣回収部（具体的には、島端金庫）まで搬送するための紙幣搬送システムが設けられている。
【０００３】
このような紙幣搬送システムとしては、例えば特許文献１等に開示されるものが従来から知られている。特許文献１等に開示される従来の紙幣搬送システムでは、遊技島の長手方向に沿って延びる長手形状の搬送路レールに、無端状の平ベルトが掛け回されており、この平ベルトが駆動されて搬送路レールに沿って循環移動することにより、台間機から搬送路レールに取り込まれた紙幣が紙幣回収部に搬送されるようになっている。
【先行技術文献】
【特許文献】
【０００４】
【特許文献１】特開２０１２−２５４１７１号公報
【発明の概要】
【発明が解決しようとする課題】
【０００５】
従来の紙幣搬送システムにおいて、遊技島の形状や大きさに合わせて複数の紙幣搬送部を直列に並ぶよう組み合わせるものがある。このような紙幣搬送システムでは、各々の紙幣搬送部により紙幣の搬送を順次行わせるようにするとともに、複数の紙幣搬送部の各々に対応して搬送制御部（具体的には、例えば搬送制御基板）を複数設置し、各搬送制御部によって、各紙幣搬送部による紙幣の搬送を制御していた。
【０００６】
このような紙幣搬送システムにおいて、従来では、複数の搬送制御部の各々の号機に係る情報を、各搬送制御部に搭載されたスイッチ（具体的には、例えば８桁のＯＮ／ＯＦＦスイッチ）により１台ずつ設定していた。しかしながら、このような紙幣搬送システムでは、遊技施設への紙幣搬送システムの導入時に、各搬送制御部により号機に係る情報を１台ずつ設定する必要があるため作業時間が長くなってしまうという問題があった。また、同一の遊技島内で搬送制御部の位置が変更になった場合でも、各制御搬送部に割り振られた号機に係る情報の設定が自動的に変更されないため、位置が変更となった搬送制御部は本来の設定とは別の設定で紙幣搬送部の制御を行ってしまうおそれがあった。
【０００７】
本発明は、このような点を考慮してなされたものであり、遊技施設への導入時において各搬送制御部の号機に係る情報の設定に必要な作業時間を大幅に短縮することができ、また、同一の遊技島内で搬送制御部の位置が変更になった場合でも対応することができる紙幣搬送システムおよびその制御方法を提供することを目的とする。
【課題を解決するための手段】
【０００８】
本発明の紙幣搬送システムは、直列に並ぶよう配置され、各々が紙幣の搬送を行う複数の紙幣搬送部と、複数の前記紙幣搬送部の各々に対応して設けられ、対応する前記紙幣搬送部による紙幣の搬送を制御する複数の搬送制御部と、複数の前記搬送制御部のうち少なくとも一つの前記搬送制御部に通信可能に接続された本体制御部と、を備え、前記本体制御部は、各前記搬送制御部の号機に係る情報を、前記紙幣搬送部の配置順に合わせて自動で設定することができることを特徴とする。
【０００９】
このような紙幣搬送システムによれば、複数の搬送制御部のうち少なくとも一つの搬送制御部に通信可能に接続された本体制御部は、各搬送制御部の号機に係る信号を、紙幣搬送部の配置順に合わせて自動で設定することができるようになっているため、遊技施設への紙幣搬送システムの導入時において各搬送制御部の号機に係る情報の設定に必要な作業時間を大幅に短縮することができ、また、同一の遊技島内で搬送制御部の位置が変更になった場合でも対応することができる。
【００１０】
本発明の紙幣搬送システムにおいては、前記本体制御部は、号機設定信号を各前記搬送制御部に送信する号機設定信号送信手段と、各前記搬送制御部から送信された、前記号機設定信号に対する応答信号を受信する応答信号受信手段とを有しており、前記本体制御部は、前記応答信号受信手段により受信された、各前記搬送制御部から送信された応答信号に基づいて、各前記搬送制御部の号機に係る情報を設定することができるようになっていてもよい。
【００１１】
このような紙幣搬送システムにおいては、前記搬送制御部の位置が変更された場合に、前記本体制御部は、前記応答信号受信手段により受信された、各前記搬送制御部から送信された応答信号に基づいて、各前記搬送制御部の号機に係る情報を自動的に変更することができるようになっていてもよい。
【００１２】
また、前記本体制御部において号機に係る情報が設定されている前記搬送制御部が、前記本体制御部において号機に係る情報が設定されていない前記搬送制御部と交換された場合に、前記本体制御部は、号機に係る情報が設定されていない前記搬送制御部に対して号機に係る情報を自動的に割り振ることができるようになっていてもよい。
【００１３】
本発明の紙幣搬送システムにおいては、互いに隣り合う２つの前記紙幣搬送部の各々に対応する２つの前記搬送制御部は制御線により通信可能に接続されており、複数の前記搬送制御部のうち制御線により前記本体制御部に直接的に通信可能に接続されていない前記搬送制御部は、別の前記搬送制御部を介して前記本体制御部に対して信号の送受信を行うことができるようになっていてもよい。
【００１４】
本発明の紙幣搬送システムにおいては、各前記搬送制御部は、対応する前記紙幣搬送部の本体部分に設けられていてもよい。
【００１５】
本発明の紙幣搬送システムの制御方法は、直列に並ぶよう配置され、各々が紙幣の搬送を行う複数の紙幣搬送部と、複数の前記紙幣搬送部の各々に対応して設けられ、対応する前記紙幣搬送部による紙幣の搬送を制御する複数の搬送制御部と、複数の前記搬送制御部のうち少なくとも一つの前記搬送制御部に通信可能に接続された本体制御部とを備えた紙幣搬送システムの制御方法であって、前記本体制御部により号機設定信号を各前記搬送制御部に送信する工程と、各前記搬送制御部から送信された、前記号機設定信号に対する応答信号を前記本体制御部により受信する工程と、前記本体制御部において、各前記搬送制御部から送信された応答信号に基づいて、各前記搬送制御部の号機に係る情報を設定する工程と、を備えたことを特徴とする。
【００１６】
このような紙幣搬送システムの制御方法によれば、本体制御部により号機設定信号を各搬送制御部に送信する工程と、各搬送制御部から送信された、号機設定信号に対する応答信号を本体制御部により受信する工程と、本体制御部において、各搬送制御部から送信された応答信号に基づいて、各搬送制御部の号機に係る情報を設定する工程とが設けられているため、遊技施設への紙幣搬送システムの導入時において各搬送制御部の号機に係る情報の設定に必要な作業時間を大幅に短縮することができ、また、同一の遊技島内で搬送制御部の位置が変更になった場合でも対応することができる。
【発明の効果】
【００１７】
本発明の紙幣搬送システムおよびその制御方法によれば、遊技施設への導入時において各搬送制御部の号機に係る情報の設定に必要な作業時間を大幅に短縮することができ、また、同一の遊技島内で搬送制御部の位置が変更になった場合でも対応することができる。
【図面の簡単な説明】
【００１８】
【図１】本発明の実施の形態による紙幣搬送システムの各ユニットの構成を示す分解斜視図である。
【図２】本発明の実施の形態による紙幣搬送システムの各ユニットの構成を概略的に示す概略構成図である。
【図３】本発明の実施の形態において各々が図１や図２に示す各ユニットからなる複数のグループおよび島端金庫が直列に並ぶよう設けられたときの紙幣搬送システムの構成を概略的に示す概略構成図である。
【図４】（ａ）〜（ｃ）は、図３に示す紙幣搬送システムにおいて島端金庫の本体制御部により各搬送制御基板に対して号機設定を行う際の動作を順に示す説明図である。
【図５】（ａ）〜（ｄ）は、図３に示す紙幣搬送システムにおいて２号機に係る搬送制御基板が交換された場合に島端金庫の本体制御部により各搬送制御基板に対して号機設定を行う際の動作を順に示す説明図である。
【図６】図３に示す紙幣搬送システムの導入設置時における搬送制御基板の号機設定に係る動作を示すフローチャートである。
【図７】図３に示す紙幣搬送システムにおいて島端金庫の電源が先にＯＮとなった場合における搬送制御基板の号機設定に係る動作を示すフローチャートである。
【図８】図３に示す紙幣搬送システムにおいて搬送制御基板の電源が先にＯＮとなった場合における搬送制御基板の号機設定に係る動作を示すフローチャートである。
【図９】図３に示す紙幣搬送システムにおいてある搬送制御基板が交換された場合における当該搬送制御基板の号機設定に係る動作を示すフローチャートである。
【図１０】図３に示す紙幣搬送システムにおいて、島端金庫の本体制御部で台間機の号機を設定し、搬送制御基板を経由して、台間機に号機を割り振るときの動作を示すフローチャートである。
【図１１】図３に示す紙幣搬送システムにおいて、遊技施設に設けられたコンソールで台間機の号機を設定し、島コントローラーを経由して、台間機に号機を割り振るときの動作を示すフローチャートである。
【図１２】図３に示す紙幣搬送システムにおいて、遊技施設に設けられたコンソールで島端金庫や各搬送制御基板の設定が行われる際の動作を示すフローチャートである。
【図１３】図３に示す紙幣搬送システムにおいて、台間機の号機に係る情報を島端金庫の本体制御部に通知する際の動作を示すフローチャートである。
【図１４】図３に示す紙幣搬送システムにおいて、台間機が当該台間機と各搬送制御基板との間で送受信される制御信号を利用して搬送エラー情報を取得する際の動作を示すフローチャートである。
【図１５】図３に示す紙幣搬送システムにおいて、紙幣の搬送エラーの発生を検知した搬送制御基板が、当該搬送制御基板と台間機との間で送受信される制御信号を利用して搬送リセット情報を取得する際の動作を示すフローチャートである。
【図１６】変形例に係る紙幣搬送システムにおいて、各搬送制御基板から出力される様々な種類のパルスを示す説明図である。
【図１７】変形例に係る紙幣搬送システムにおいて、パルス信号が上流側の搬送制御基板から下流側の搬送制御基板に順に送信され、最終的に島端金庫の本体制御部によりパルス信号が受信されるときの態様を示す図である。
【発明を実施するための形態】
【００１９】
以下、図面を参照して本発明の実施の形態について説明する。図１乃至図９は、本実施の形態による紙幣搬送システムおよびこのような紙幣搬送システムの制御方法を示す図である。このうち、図１は、本実施の形態による紙幣搬送システムの各ユニットの構成を示す分解斜視図であり、図２は、本実施の形態による紙幣搬送システムの各ユニットの構成を概略的に示す概略構成図である。また、図３は、本発明の実施の形態において各々が図１や図２に示す各ユニットからなる複数のグループおよび島端金庫が直列に並ぶよう設けられたときの紙幣搬送システムの構成を概略的に示す概略構成図である。また、図４および図５は、それぞれ、図３に示す紙幣搬送システムにおいて島端金庫の本体制御部により各搬送制御基板に対して号機設定を行う際の動作を順に示す説明図である。また、図６乃至図９は、それぞれ、図３に示す紙幣搬送システムにおいて本体制御部により各搬送制御基板に対して号機設定を行う際の動作を示すフローチャートである。
【００２０】
まず、本実施の形態による紙幣搬送システム１０の構成の概略について図１および図２を用いて説明する。図１に示す紙幣搬送システム１０は、複数のユニット１００、２００、３００、４００、５００、６００、７００を組み合わせたものからなり、これらの各ユニット１００、２００、３００、４００、５００、６００、７００は互いに着脱自在に連結されるようになっている。具体的には、図１に示す紙幣搬送システム１０は、紙幣搬送ユニット１００、駆動ユニット２００、第１取込ユニット３００、第２取込ユニット４００、伸縮ユニット５００、第１屈曲ユニット６００および第２屈曲ユニット７００を有しており、紙幣搬送ユニット１００、駆動ユニット２００、伸縮ユニット５００にはそれぞれカバー部９００、９５０が取り付けられるようになっている。ここで、紙幣搬送ユニット１００とカバー部９００との間、駆動ユニット２００とカバー部９５０との間、第１取込ユニット３００と第２取込ユニット４００との間、伸縮ユニット５００とカバー部９５０との間にはそれぞれ紙幣の搬送路が鉛直面に沿って形成されている。すなわち、図１に示す紙幣搬送システム１０における紙幣の搬送路は、紙幣搬送ユニット１００、駆動ユニット２００、第１取込ユニット３００および伸縮ユニット５００の各々の一方の側面に形成されるようになっている。また、第１屈曲ユニット６００や第２屈曲ユニット７００の内部にも紙幣の搬送路が形成されている。なお、第１屈曲ユニット６００や第２屈曲ユニット７００では、紙幣の搬送の向きを変えるよう紙幣の搬送路が当該紙幣の搬送方向において湾曲するようになっている。このような紙幣搬送システム１０では、第２屈曲ユニット７００から第１屈曲ユニット６００に紙幣が搬送され、この第１屈曲ユニット６００から紙幣が図１の矢印で示す方向に更に搬送されるようになっている。
【００２１】
また、図２に示す紙幣搬送システム１０は、図１に示す紙幣搬送システム１０から各屈曲ユニット６００、７００を取り外すとともにこれらの屈曲ユニット６００、７００が取り外された箇所に伸縮ユニット５００を取り付けたものである。
【００２２】
図１や図２に示す紙幣搬送システム１０において、各ユニット１００、２００、３００、５００、６００、７００には、紙幣を搬送する紙幣搬送機構がそれぞれ設けられている。具体的には、紙幣搬送ユニット１００や駆動ユニット２００、伸縮ユニット５００には、紙幣搬送機構として無端状の平ベルトからなる搬送ベルト１１０、２１０、５１０がそれぞれ設けられている。また、第１取込ユニット３００には、紙幣搬送機構として搬送ローラ３１２、３１４が設けられている。また、第１屈曲ユニット６００や第２屈曲ユニット７００の内部にも、紙幣搬送機構として搬送ローラ（図示せず）が設けられている。そして、図１や図２に示す紙幣搬送システム１０では、各々のユニット１００、２００、３００、５００、６００、７００は互いに着脱自在に連結されるとともに、連結された複数のユニット１００、２００、３００、５００、６００、７００間で紙幣搬送機構を駆動させる駆動力が伝達されるようになっている。より詳細には、各々のユニット１００、２００、３００、５００、６００、７００には、紙幣搬送機構を駆動させる駆動力を他のユニットに伝達するための駆動力伝達部（具体的には、駆動力伝達用ギヤ）が設けられており、一のユニットと他のユニットとが連結されたときに、一のユニットの駆動力伝達部と他のユニットの駆動力伝達部との間で駆動力が伝達されるようになっている。
【００２３】
図１や図２に示す紙幣搬送システム１０において、紙幣搬送ユニット１００は、単に紙幣の搬送を行うものである。より詳細には、紙幣の搬送方向における長さが異なるような複数の種類の紙幣搬送ユニット１００が準備されており、これらの複数の種類の紙幣搬送ユニット１００から所定の長さの紙幣搬送ユニット１００を選択して用いることができるようになっている。
【００２４】
また、駆動ユニット２００は、各ユニット１００、２００、３００、５００、６００、７００に設けられた紙幣搬送機構の駆動を行う駆動モータ２６０（図２参照）を内蔵している。また、駆動ユニット２００には搬送制御基板２７０（図２参照）が設けられており、当該搬送制御基板２７０により各ユニット１００、２００、３００、５００、６００、７００の紙幣搬送機構による紙幣の搬送が制御されるようになっている。
【００２５】
また、第１取込ユニット３００は、図１や図２に示す紙幣搬送システム１０に接続された台間機等の紙幣入金装置（図示せず）に入金された紙幣を紙幣取込口３０４（図１参照）から取り込むものである。具体的には、図２に示すように、第１取込ユニット３００には、紙幣搬送システム１０に接続された紙幣入金装置に入金された紙幣を取り込むための紙幣取込機構３３０が設けられており、当該紙幣取込機構３３０により紙幣入金装置から紙幣取込口３０４を介して第１取込ユニット３００の内部に取り込まれた紙幣がこの第１取込ユニット３００の紙幣搬送機構により搬送され、当該第１取込ユニット３００の下流側のユニットに受け渡されるようになっている。
【００２６】
また、第２取込ユニット４００も、第１取込ユニット３００と同様に、図１や図２に示す紙幣搬送システム１０に接続された紙幣入金装置（図示せず）に入金された紙幣を紙幣取込口４０４（図１参照）から取り込むものであるが、この第２取込ユニット４００は、紙幣搬送ユニット１００、駆動ユニット２００、第１取込ユニット３００または伸縮ユニット５００との間に紙幣の搬送路を形成するようこれらのユニット１００、２００、３００、５００のうち任意のユニットに取付可能となっている。具体的には、図２に示すように、第２取込ユニット４００には、紙幣搬送システム１０に接続された紙幣入金装置に入金された紙幣を取り込むための紙幣取込機構４３０が設けられており、当該紙幣取込機構４３０により紙幣入金装置から紙幣取込口４０４を介して第２取込ユニット４００の内部に取り込まれた紙幣は、この第２取込ユニット４００に取り付けられたユニット１００、２００、３００、５００の紙幣搬送機構により搬送されるようになっている。
【００２７】
また、伸縮ユニット５００は、紙幣の搬送方向における長さを変えることができるものである。具体的には、図１や図２に示すように、伸縮ユニット５００は、本体部５０２と、当該本体部５０２に対して移動自在に設けられた可動部５０４とを有しており、本体部５０２における図１の手前側の側面および可動部５０４における図１の手前側の側面により紙幣の搬送路が構成されている。ここで、可動部５０４は、本体部５０２に対して紙幣の搬送方向（すなわち、図１や図２における矢印の方向）およびその逆方向の双方向に移動自在となっている。また、伸縮ユニット５００の本体部５０２には、紙幣搬送機構として無端状の平ベルトからなる搬送ベルト５１０が設けられている。また、図２に示すように、伸縮ユニット５００において紙幣の搬送方向における本体部５０２よりも下流側の箇所に位置する可動部５０４には、当該可動部５０４を通過する紙幣を検知する紙幣通過センサ５３０が設けられている。
【００２８】
このような伸縮ユニット５００において、本体部５０２の内部には、駆動ユニット２００の駆動モータ２６０からの駆動力を伝達するための駆動力伝達部として複数の駆動力伝達用ギヤ（図示せず）が設けられている。なお、可動部５０４には、搬送ベルトや駆動力伝達用ギヤが設けられていない。このため、駆動ユニット２００の駆動モータ２６０からの駆動力は、伸縮ユニット５００の可動部５０４において遮断されるようになる。すなわち、伸縮ユニット５００の下流側に他のユニットが接続されている場合でも、この伸縮ユニット５００の上流側に設けられた駆動ユニット２００の駆動モータ２６０からの駆動力は、当該伸縮ユニット５００の下流側に設けられた他のユニットに伝達されることはない。
【００２９】
また、第１屈曲ユニット６００および第２屈曲ユニット７００は、それぞれ、紙幣の搬送の向きを変えるよう紙幣の搬送路が当該紙幣の搬送方向において湾曲しているものからなる。より詳細には、図１に示すように、第１屈曲ユニット６００は、第１本体部６０２と、鉛直方向に延びる軸６０６を中心として第１本体部６０２に対して回転自在となっている第２本体部６０４とを有している。具体的には、軸６０６を中心とした第１本体部６０２と第２本体部６０４との間の角度が所定の範囲内の大きさ（例えば、９０°〜１８０°の範囲内の大きさ）となるよう、第２本体部６０４は軸６０６を中心として第１本体部６０２に対して回転自在となっている。同様に、第２屈曲ユニット７００は、第１本体部７０２と、鉛直方向に延びる軸７０６を中心として第１本体部７０２に対して回転自在となっている第２本体部７０４とを有している。また、第１本体部６０２、７０２および第２本体部６０４、７０４の内部にはそれぞれ紙幣の搬送路が形成されているとともに、紙幣搬送機構としての搬送ローラ（図示せず）が第１本体部６０２、７０２および第２本体部６０４、７０４の内部にそれぞれ設けられている。また、第１本体部６０２、７０２および第２本体部６０４、７０４の内部には、駆動ユニット２００の駆動モータ２６０からの駆動力を伝達するための駆動力伝達部として複数の駆動力伝達用ギヤ（図示せず）が設けられている。
【００３０】
また、図１や図２に示す紙幣搬送システム１０では、大きさが互いに異なる複数の種類のカバー部（具体的には、例えば図１に示すカバー部９００およびカバー部９５０）が準備されており、各々のユニット１００、２００、３００、５００には、複数の種類のカバー部のうち任意の種類のカバー部が取り付け可能となっている。そして、ユニット１００、２００、３００、５００とカバー部との間に紙幣の搬送路が形成されるようになっている。
【００３１】
次に、このような紙幣搬送システム１０の駆動ユニット２００に設けられた搬送制御基板２７０の制御範囲（すなわち、駆動モータ２６０による紙幣の搬送の制御範囲）について図２を用いて説明する。上述したように、図１や図２に示す紙幣搬送システム１０において、駆動ユニット２００の駆動モータ２６０からの駆動力は、伸縮ユニット５００の可動部５０４において遮断されるようになる。このため、駆動ユニット２００の駆動モータ２６０からの駆動力は、この駆動ユニット２００の上流側に設けられた伸縮ユニット５００の直近の下流側に位置するユニット（図２に示す例では右側の紙幣搬送ユニット１００）と、当該駆動ユニット２００の下流側に設けられた伸縮ユニット５００の本体部５０２との間の範囲内に位置する紙幣搬送機構に伝達されるようになる。また、伸縮ユニット５００の紙幣通過センサ５３０による紙幣の検知情報は、この伸縮ユニット５００の下流側に位置する搬送制御基板２７０に伝達されるようになっている。このような事項により、図２に示すように、伸縮ユニット５００における本体部５０２と可動部５０４との間に、駆動ユニット２００の搬送制御基板２７０による制御範囲の境界が形成されるようになる。すなわち、駆動ユニット２００の搬送制御基板２７０の制御範囲は、この駆動ユニット２００の上流側に設けられた伸縮ユニット５００の可動部５０４と、当該駆動ユニット２００の下流側に設けられた伸縮ユニット５００の本体部５０２との間の範囲となる。本実施の形態では、このような駆動ユニット２００の搬送制御基板２７０の制御範囲ごとに紙幣の搬送に係るグループが形成されるようになっており、このようなグループが直列に並ぶよう複数設けられることにより紙幣搬送システム１０が構成されている。すなわち、紙幣搬送システム１０の各々のグループにおいて、駆動モータ２６０や搬送制御基板２７０が設けられるとともに、各々のグループにおける最も上流側の箇所には紙幣通過センサ５３０が設けられるようになる。
【００３２】
図３は、本実施の形態において各々が図１や図２に示す上記のユニット１００、２００、３００、４００、５００、６００、７００からなる複数のグループ（グループＡ〜Ｃ）および島端金庫８００が直列に並ぶよう設けられたときの紙幣搬送システム１０の構成を概略的に示す概略構成図である。本実施の形態では、紙幣搬送システム１０の各グループＡ〜Ｃの下流側に島端金庫８００が設けられており、紙幣搬送システム１０においてグループＣ、グループＢ、グループＡの順に搬送された紙幣はグループＡから島端金庫８００に送られ、この島端金庫８００に収納されるようになっている。また、図３に示すように、各グループＡ〜Ｃに設けられた各搬送制御基板２７０Ａ〜２７０Ｃは、紙幣の搬送方向における下流側から順に号機に係る情報が割り振られるようになっている。具体的には、最も下流側に位置する（すなわち、島端金庫８００に最も近い）グループＡに設けられた搬送制御基板２７０Ａには１号機が割り振られ、グループＡの直近の上流側に位置するグループＢに設けられた搬送制御基板２７０Ｂには２号機が割り振られ、グループＢの直近の上流側に位置するグループＣに設けられた搬送制御基板２７０Ｃには３号機が割り振られるようになっている。このような各搬送制御基板２７０Ａ〜２７０Ｃへの号機に係る情報の割り振りは、島端金庫８００に設けられた本体制御部８３０（後述）において行われるようになっている。なお、各搬送制御基板２７０Ａ〜２７０Ｃへの号機に係る情報の割り振りにおいて、紙幣の搬送方向における下流側から順に号機に係る情報が割り振られる代わりに紙幣の搬送方向における上流側から順に号機に係る情報が割り振られるようになっていてもよく、また、連番で号機に係る情報が割り振られる代わりに順不動で号機に係る情報が割り振られたりあるいは号機として偶数番号のみが割り振られたりするようになっていてもよい。このように、本実施の形態では、各搬送制御基板２７０Ａ〜２７０Ｃへの号機に係る情報の割り振りの方法を後述する本体制御部８３０（後述）において自在に設定することができるようになっている。また、本実施の形態では、各グループＡ〜Ｃにおいて、紙幣の搬送を行う紙幣搬送部が設けられている。具体的には、各グループＡ〜Ｃに設けられる紙幣搬送部は、駆動モータ２６０Ａ〜２６０Ｃと、当該駆動モータ２６０Ａ〜２６０Ｃにより駆動される各ユニット１００、２００、３００、５００、６００、７００の紙幣搬送機構とから構成されている。このようにして、紙幣搬送システム１０は、直列に並ぶよう配置された、各グループＡ〜Ｃに対応する複数の紙幣搬送部から構成されるようになる。
【００３３】
図３に示すように、島端金庫８００は筐体８０２を備えており、この筐体８０２の内部には、紙幣を収納する収納庫８１０、および紙幣搬送システム１０のグループＡから送られた紙幣を収納庫８１０に収納する前に一時的に保留する一時保留部８２０がそれぞれ設けられている。そして、紙幣搬送システム１０のグループＡから島端金庫８００に送られた紙幣は一時保留部８２０で一時的に保留された後に収納庫８１０に収納されるようになっている。また、島端金庫８００の側面には扉８０４が設けられており、所定の権限を有する管理者のみがこの扉８０４を開けて収納庫８１０から紙幣を回収することができるようになっている。また、島端金庫８００には本体制御部８３０が設けられており、この本体制御部８３０により紙幣搬送システム１０の各グループＡ〜Ｃにおける紙幣の搬送が管理されるようになっている。より詳細には、上述したように、本体制御部８３０において、紙幣搬送システム１０の各グループＡ〜Ｃに設けられた搬送制御基板２７０Ａ〜２７０Ｃへの号機に係る情報の割り振りが行われるようになっており、紙幣搬送システム１０において紙幣は基本的に号機の数が大きい搬送制御基板２７０に係るグループから号機の数が小さい搬送制御基板２７０に係るグループへ順に搬送されるようになっている。
【００３４】
本実施の形態では、島端金庫８００に設けられた本体制御部８３０は、搬送制御基板２７０Ａ〜２７０Ｃの号機に係る情報を、グループＡ〜Ｃの配置順に合わせて自動で設定することができるようになっている。より詳細には、本体制御部８３０は、号機設定信号を各搬送制御基板２７０Ａ〜２７０Ｃに送信する号機設定信号送信手段８３２と、各搬送制御基板２７０Ａ〜２７０Ｃにから送信された、号機設定信号に対する応答信号を受信する応答信号受信手段８３４とを有しており、本体制御部８３０は、応答信号受信手段８３４により受信された、各搬送制御基板２７０Ａ〜２７０Ｃから送信された応答信号に基づいて、各搬送制御基板２７０Ａ〜２７０Ｃの号機に係る情報を設定することができるようになっている。また、各グループＡ〜Ｃの位置が変更された場合（すなわち、各搬送制御基板２７０Ａ〜２７０Ｃの位置が変更された場合）に、本体制御部８３０は、応答信号受信手段８３４により受信された、各搬送制御基板２７０Ａ〜２７０Ｃから送信された応答信号に基づいて、各搬送制御基板２７０Ａ〜２７０Ｃの号機に係る情報を自動的に変更することができるようになっている。これらの技術的事項について図４乃至図９を用いて詳述する。
【００３５】
図４（ａ）〜（ｃ）は、図３に示す紙幣搬送システム１０において島端金庫８００の本体制御部８３０により各搬送制御基板２７０Ａ〜２７０Ｃに対して号機設定を行う際の動作を順に示す説明図であり、図５（ａ）〜（ｄ）は、図３に示す紙幣搬送システム１０において２号機に係る搬送制御基板２７０Ｂが交換された場合に島端金庫８００の本体制御部８３０により各搬送制御基板２７０Ａ〜２７０Ｃに対して号機設定を行う際の動作を順に示す説明図である。また、図６は、図３に示す紙幣搬送システム１０の導入設置時における各搬送制御基板２７０の号機設定に係る動作を示すフローチャートであり、図７は、図３に示す紙幣搬送システム１０において島端金庫８００の電源が先にＯＮとなった場合における各搬送制御基板２７０の号機設定に係る動作を示すフローチャートであり、図８は、図３に示す紙幣搬送システム１０において各搬送制御基板２７０の電源が先にＯＮとなった場合における各搬送制御基板２７０の号機設定に係る動作を示すフローチャートである。また、図９は、図３に示す紙幣搬送システム１０においてある搬送制御基板２７０が交換された場合における当該搬送制御基板２７０の号機設定に係る動作を示すフローチャートである。なお、図６乃至図９に示すフローチャートでは、図３乃至図５に示すフローチャートの搬送制御基板２７０Ａ〜２７０Ｃをまとめて搬送制御基板２７０として表示している。また、図６乃至図９に示すフローチャートに係る以下の説明でも、上記の搬送制御基板２７０Ａ〜２７０Ｃをまとめて搬送制御基板２７０として記載している。
【００３６】
図４および図５に示すように、本実施の形態の紙幣搬送システム１０において互いに隣り合う搬送制御基板２７０Ａ〜２７０Ｃは通信ケーブル（より詳細には、ＲＳ−４８５通信ケーブル）等の制御線２０により通信可能に接続されている。また、最も下流側に位置する搬送制御基板２７０Ａおよび島端金庫８００の本体制御部８３０も制御線２０により通信可能に接続されている。このようにして、複数の搬送制御基板２７０Ａ〜２７０Ｃのうち制御線２０により島端金庫８００の本体制御部８３０に直接的に通信可能に接続されていない搬送制御基板２７０Ｂ、２７０Ｃは、別の搬送制御基板を介して本体制御部８３０に対して信号の送受信を行うことができるようになっている。
【００３７】
図３に示す紙幣搬送システム１０において本体制御部８３０により各搬送制御基板２７０Ａ〜２７０Ｃに対して号機設定を行う際に、図４（ａ）に示すように、まず、最も下流側に位置する搬送制御基板２７０Ａに対して島端金庫８００の本体制御部８３０から１号機に係る号機設定信号が送信される。そして、搬送制御基板２７０Ａが１号機に係る号機設定信号を受信する（図４（ａ）における「入力：ＯＮ」）と、搬送制御基板２７０Ａは応答信号を島端金庫８００の本体制御部８３０に送信する。このことにより、島端金庫８００の本体制御部８３０は搬送制御基板２７０Ａに対して号機に係る情報として「１号機」を設定する。ここで、島端金庫８００の本体制御部８３０は搬送制御基板２７０Ａに１号機に係る号機設定信号を送信し続けるとともに搬送制御基板２７０Ａは島端金庫８００の本体制御部８３０に応答信号を送信し続けるようになる。すなわち、搬送制御基板２７０Ａにおいて号機設定信号に関して「入力：ＯＮ」「出力：ＯＮ」の状態が維持されるようになる。このことにより、本体制御部８３０において搬送制御基板２７０Ａの号機設定が適切に維持されるようになる。
【００３８】
また、島端金庫８００の本体制御部８３０は、搬送制御基板２７０Ａから応答信号を受信すると、図４（ｂ）に示すように、この搬送制御基板２７０Ａを介して更に上流側に位置する搬送制御基板２７０Ｂに２号機に係る号機設定信号を送信する。そして、搬送制御基板２７０Ｂが２号機に係る号機設定信号を受信すると（図４（ｂ）における「入力：ＯＮ」）と、搬送制御基板２７０Ｂは応答信号を島端金庫８００の本体制御部８３０に送信する。このことにより、島端金庫８００の本体制御部８３０は搬送制御基板２７０Ｂに対して号機に係る情報として「２号機」を設定する。ここで、島端金庫８００の本体制御部８３０は搬送制御基板２７０Ｂに２号機に係る号機設定信号を送信し続けるとともに搬送制御基板２７０Ｂは島端金庫８００の本体制御部８３０に応答信号を送信し続けるようになる。すなわち、搬送制御基板２７０Ｂにおいて号機設定信号に関して「入力：ＯＮ」「出力：ＯＮ」の状態が維持されるようになる。このことにより、本体制御部８３０において搬送制御基板２７０Ｂの号機設定が適切に維持されるようになる。
【００３９】
また、島端金庫８００の本体制御部８３０は、搬送制御基板２７０Ｂから応答信号を受信すると、図４（ｃ）に示すように、この搬送制御基板２７０Ｂを介して更に上流側に位置する搬送制御基板２７０Ｃに３号機に係る号機設定信号を送信する。そして、搬送制御基板２７０Ｃが３号機に係る号機設定信号を受信すると（図４（ｃ）における「入力：ＯＮ」）と、搬送制御基板２７０Ｃは応答信号を島端金庫８００の本体制御部８３０に送信する。このことにより、島端金庫８００の本体制御部８３０は搬送制御基板２７０Ｃに対して号機に係る情報として「３号機」を設定する。ここで、島端金庫８００の本体制御部８３０は搬送制御基板２７０Ｃに３号機に係る号機設定信号を送信し続けるとともに搬送制御基板２７０Ｂは島端金庫８００の本体制御部８３０に応答信号を送信し続けるようになる。すなわち、搬送制御基板２７０Ｃにおいて号機設定信号に関して「入力：ＯＮ」「出力：ＯＮ」の状態が維持されるようになる。このことにより、本体制御部８３０において搬送制御基板２７０Ｃの号機設定が適切に維持されるようになる。
【００４０】
同様にして、搬送制御基板２７０Ｃの上流側に設けられた他の搬送制御基板に対しても島端金庫８００の本体制御部８３０から４号機以降に係る号機設定信号が送信され、この搬送制御基板は４号機以降に係る号機設定信号を受信すると応答信号を島端金庫８００の本体制御部８３０に送信するようになっている。このことにより、搬送制御基板２７０Ｃの上流側に設けられた他の搬送制御基板に対しても島端金庫８００の本体制御部８３０により号機に係る情報が同様に設定されるようになる。
【００４１】
また、本実施の形態の紙幣搬送システム１０では、搬送制御基板２７０Ａ〜２７０Ｃの位置が変更された場合に、本体制御部８３０は、応答信号受信手段８３４により受信された、各搬送制御基板２７０Ａ〜２７０Ｃから送信された応答信号に基づいて、各搬送制御基板２７０Ａ〜２７０Ｃの号機に係る情報を自動的に変更することができるようになっている。具体的には、図４に示す紙幣搬送システム１０において、例えば１号機が割り振られた搬送制御基板２７０Ａと３号機が割り振られた搬送制御基板２７０Ｃとが交換された場合には、本体制御部８３０は、応答信号受信手段８３４により受信された、各搬送制御基板２７０Ａ〜２７０Ｃから送信された応答信号に基づいて、島端金庫８００の直近の上流側に位置するようになった搬送制御基板２７０Ｃに対して号機に係る情報として１号機を新たに割り振るとともに、搬送制御基板２７０Ｂよりも更に上流側に位置するようになった搬送制御基板２７０Ａに対して号機に係る情報として３号機を新たに割り振ることができるようになっている。
【００４２】
次に、図３に示す紙幣搬送システム１０において例えば２号機に係る搬送制御基板２７０Ｂが新しい搬送制御基板２７０Ｂ´に交換された場合に島端金庫８００の本体制御部８３０により各搬送制御基板２７０Ａ、２７０Ｂ´、２７０Ｃに対して号機設定を行う際の動作について図５（ａ）〜（ｄ）を用いて説明する。図３に示すような紙幣搬送システム１０において島端金庫８００の本体制御部８３０により各搬送制御基板２７０Ａ〜２７０Ｃに対して号機設定が行われた後、例えば２号機に係る搬送制御基板２７０Ｂが取り外され、この取り外された箇所に新たな搬送制御基板２７０Ｂ´（すなわち、号機に係る情報が割り振られていない搬送制御基板２７０）が取り付けられたときには以下に示すような動作が行われるようになる。具体的には、図５（ａ）に示すように、搬送制御基板２７０Ａは島端金庫８００の本体制御部８３０から送られた１号機に係る号機設定信号に対して応答信号を本体制御部８３０に戻すようになる。このことにより、図５（ｂ）に示すように、この搬送制御基板２７０Ａにおいて号機設定信号に関して「入力：ＯＮ」「出力：ＯＮ」の状態となるが、新たな搬送制御基板２７０Ｂ´は号機に係る情報が未設定のため、島端金庫８００の本体制御部８３０からこの新たな搬送制御基板２７０Ｂ´に２号機に係る号機設定信号が送られても当該搬送制御基板２７０Ｂ´は無応答となり本体制御部８３０は搬送制御基板２７０Ｂ´からの応答信号を受信しない。また、図５（ｃ）に示すように、搬送制御基板２７０Ｃは島端金庫８００の本体制御部８３０から送られた３号機に係る号機設定信号に対して応答信号を本体制御部８３０に戻すが、号機設定信号に関して「入力：ＯＦＦ」「出力：ＯＦＦ」の状態のままとなる。そして、島端金庫８００の本体制御部８３０は、２号機以降に係る号機設定信号に対する応答信号を受信しない場合には、図５（ｄ）に示すように９９号機に係る号機設定信号を各搬送制御基板２７０Ａ〜２７０Ｃに送信するようになり、新たな搬送制御基板２７０Ｂ´は、この９９号機に係る号機設定信号に対して応答信号を島端金庫８００の本体制御部８３０に送信する。ここで、本実施の形態の紙幣搬送システム１０では一般的に搬送制御基板２７０の数は最大で例えば６３台であるため、本体制御部８３０において既存の搬送制御基板２７０に号機に係る情報として９９号機が割り振られることはない。
【００４３】
次に、図３に示す紙幣搬送システム１０の導入設置時における各搬送制御基板２７０の号機設定に係る動作について図６に示すフローチャートを用いて以下に説明する。
【００４４】
図３に示す紙幣搬送システム１０を遊技施設に導入設置する際に、島端金庫８００に紙幣搬送システム１０の各グループＡ〜Ｃを直列に接続した後、島端金庫８００の電源をＯＮにすると（ＳＴＥＰ１０１）、初期状態ではこの島端金庫８００の本体制御部８３０に各搬送制御基板２７０から応答信号が送信されないため、島端金庫８００は設定エラーとなる（ＳＴＥＰ１０２）。一方、島端金庫８００に紙幣搬送システム１０の各グループＡ〜Ｃを直列に接続した後、各搬送制御基板２７０の電源をＯＮにすると（ＳＴＥＰ１１０）、初期状態では島端金庫８００の本体制御部８３０から各搬送制御基板２７０に搬送設定信号が送信されないため、各搬送制御基板２７０は設定エラーとなる（ＳＴＥＰ１１１）。
【００４５】
その後、島端金庫８００の本体制御部８３０においてＲＡＳ（Ｒｅｍｏｔｅ  Ａｃｃｅｓｓ  Ｓｅｒｖｉｃｅ）が起動すると（ＳＴＥＰ１０３）、号機設定準備信号がブロードキャスト通信により各搬送制御基板２７０に送信される（ＳＴＥＰ１０４）。なお、ＲＡＳが起動した後に号機の設定を行う場合には、搬送制御基板２７０の接続台数を入力する工程が含まれるようになっていてもよい。搬送制御基板２７０の接続台数を入力しておけば、紙幣の搬送方向における下流側の搬送制御基板２７０に大きい号機番号を容易に割り振ることができる。各搬送制御基板２７０は、島端金庫８００の本体制御部８３０から号機設定準備信号を受信すると（ＳＴＥＰ１１２）、応答信号を島端金庫８００の本体制御部８３０に送信する。島端金庫８００の本体制御部８３０は、号機設定準備信号に対する応答信号を受信すると、号機設定信号をブロードキャスト通信により各搬送制御基板２７０に送信する（ＳＴＥＰ１０５）。各搬送制御基板２７０は、島端金庫８００の本体制御部８３０から号機設定信号を受信すると（ＳＴＥＰ１１３）、応答信号を島端金庫８００の本体制御部８３０に送信する。このようにして、島端金庫８００の本体制御部８３０において各搬送制御基板２７０に対して号機に係る情報が設定されるようになる。その後、島端金庫８００の本体制御部８３０は、搬送設定信号を各搬送制御基板２７０に送信する（ＳＴＥＰ１０６）。各搬送制御基板２７０は、島端金庫８００の本体制御部８３０から搬送設定信号を受信すると（ＳＴＥＰ１１４）、応答信号を島端金庫８００の本体制御部８３０に送信する。このことにより、島端金庫８００の本体制御部８３０は各搬送制御基板２７０を介して各グループＡ〜Ｃに設けられた紙幣搬送部の設定を行い、よって各グループの紙幣搬送部における紙幣の搬送を管理することができるようになる。また、各搬送制御基板２７０は、島端金庫８００の本体制御部８３０から号機設定信号に係る情報を受信すると、上記の設定エラーがクリアされるようになる（ＳＴＥＰ１１５）。
【００４６】
次に、図３に示す紙幣搬送システム１０において島端金庫８００の電源が先にＯＮとなった場合における各搬送制御基板２７０の号機設定に係る動作について図７に示すフローチャートを用いて説明する。
【００４７】
図３に示す紙幣搬送システム１０において島端金庫８００の電源を先にＯＮとした場合には（ＳＴＥＰ２０１）、当該島端金庫８００の本体制御部８３０は各搬送制御基板２７０との通信を開始するが（ＳＴＥＰ２０２）、初期状態では各搬送制御基板２７０の電源がＯＦＦとなっており本体制御部８３０に対して各搬送制御基板２７０から応答信号が送信されないため、本体制御部８３０は号機設定失敗となる（ＳＴＥＰ２０３）。この場合は、本体制御部８３０が各搬送制御基板２７０に対して状態通知を行っても（ＳＴＥＰ２０４）、通信エラーとなる。
【００４８】
その後、各搬送制御基板２７０の電源をＯＮにすると（ＳＴＥＰ２１０）、本体制御部８３０が各搬送制御基板２７０に対して状態通知を行ったときに（ＳＴＥＰ２０５）、各搬送制御基板２７０は本体制御部８３０に現状態に係る情報を送信する（ＳＴＥＰ２１１）。本体制御部８３０は、各搬送制御基板２７０から電源ＯＮ状態に係る情報を受信すると、号機設定準備信号をブロードキャスト通信により各搬送制御基板２７０に送信する（ＳＴＥＰ２０６）。各搬送制御基板２７０は、島端金庫８００の本体制御部８３０から号機設定準備信号を受信すると（ＳＴＥＰ２１２）、応答信号を島端金庫８００の本体制御部８３０に送信する。島端金庫８００の本体制御部８３０は、号機設定準備信号に対する応答信号を受信すると、号機設定信号をブロードキャスト通信により各搬送制御基板２７０に送信する（ＳＴＥＰ２０７）。各搬送制御基板２７０は、島端金庫８００の本体制御部８３０から号機設定信号を受信すると（ＳＴＥＰ２１３）、応答信号を島端金庫８００の本体制御部８３０に送信する。このようにして、島端金庫８００の本体制御部８３０において各搬送制御基板２７０に対して号機に係る情報が設定されるようになる。その後、島端金庫８００の本体制御部８３０は、搬送設定信号を各搬送制御基板２７０に送信する（ＳＴＥＰ２０８）。各搬送制御基板２７０は、島端金庫８００の本体制御部８３０から搬送設定信号を受信すると（ＳＴＥＰ２１４）、応答信号を島端金庫８００の本体制御部８３０に送信する。このことにより、島端金庫８００の本体制御部８３０は各搬送制御基板２７０を介して各グループＡ〜Ｃに設けられた紙幣搬送部の設定を行い、よって各グループの紙幣搬送部における紙幣の搬送を管理することができるようになる。また、必要に応じて島端金庫８００の本体制御部８３０は各搬送制御基板２７０に対してイニシャル要求を行い（ＳＴＥＰ２０９）、各搬送制御基板２７０は本体制御部８３０からイニシャル要求を受けると動作に必要な処理（具体的には、リセット、センサやモータの動作チェック等）を行うようになる（ＳＴＥＰ２１５）。
【００４９】
次に、図３に示す紙幣搬送システム１０において各搬送制御基板２７０の電源が先にＯＮとなった場合における各搬送制御基板２７０の号機設定に係る動作について図８に示すフローチャートを用いて説明する。
【００５０】
図３に示す紙幣搬送システム１０において各搬送制御基板２７０の電源を先にＯＮにすると（ＳＴＥＰ３１０）、島端金庫８００の電源をその後にＯＮとした場合に（ＳＴＥＰ３０１）、当該島端金庫８００の本体制御部８３０は各搬送制御基板２７０との通信を開始する（ＳＴＥＰ３０２）。そして、本体制御部８３０は号機設定準備信号をブロードキャスト通信により各搬送制御基板２７０に送信する（ＳＴＥＰ３０３）。各搬送制御基板２７０は、島端金庫８００の本体制御部８３０から号機設定準備信号を受信すると（ＳＴＥＰ３１１）、応答信号を島端金庫８００の本体制御部８３０に送信する。島端金庫８００の本体制御部８３０は、号機設定準備信号に対する応答信号を受信すると、号機設定信号をブロードキャスト通信により各搬送制御基板２７０に送信する（ＳＴＥＰ３０４）。各搬送制御基板２７０は、島端金庫８００の本体制御部８３０から号機設定信号を受信すると（ＳＴＥＰ３１２）、応答信号を島端金庫８００の本体制御部８３０に送信する。このようにして、島端金庫８００の本体制御部８３０において各搬送制御基板２７０に対して号機に係る情報が設定されるようになる。その後、島端金庫８００の本体制御部８３０は、搬送設定信号を各搬送制御基板２７０に送信する（ＳＴＥＰ３０５）。各搬送制御基板２７０は、島端金庫８００の本体制御部８３０から搬送設定信号を受信すると（ＳＴＥＰ３１３）、応答信号を島端金庫８００の本体制御部８３０に送信する。このことにより、島端金庫８００の本体制御部８３０は各搬送制御基板２７０を介して各グループＡ〜Ｃに設けられた紙幣搬送部の設定を行い、よって各グループの紙幣搬送部における紙幣の搬送を管理することができるようになる。また、必要に応じて島端金庫８００の本体制御部８３０は各搬送制御基板２７０に対してイニシャル要求を行い（ＳＴＥＰ３０６）、各搬送制御基板２７０は本体制御部８３０からイニシャル要求を受けると動作に必要な処理（具体的には、リセット、センサやモータの動作チェック等）を行うようになる（ＳＴＥＰ３１４）。
【００５１】
次に、図３に示す紙幣搬送システム１０においてある搬送制御基板２７０が交換された場合における当該搬送制御基板２７０の号機設定に係る動作について図９に示すフローチャートを用いて説明する。
【００５２】
図９に示すフローチャートにおける島端金庫８００に係るＳＴＥＰ４０１〜ＳＴＥＰ４０５の動作および搬送制御基板２７０に係るＳＴＥＰ４１０〜ＳＴＥＰ４１３の動作は、図８に示すフローチャートにおける島端金庫８００に係るＳＴＥＰ３０１〜ＳＴＥＰ３０５の動作および搬送制御基板２７０に係るＳＴＥＰ３１０〜ＳＴＥＰ３１３の動作と同一であるため説明を省略する。そして、各搬送制御基板２７０のうちある搬送制御基板２７０の交換が行われたときには、本体制御部８３０が各搬送制御基板２７０に対して状態通知を行っても（ＳＴＥＰ４０６）、通信エラーとなる。
【００５３】
その後、新たな搬送制御基板２７０の電源をＯＮとしたときに（ＳＴＥＰ４２０）、この新たな搬送制御基板２７０の号機が未設定であるため設定エラーとなる（ＳＴＥＰ４２１）。この場合には、島端金庫８００の本体制御部８３０からこの新たな搬送制御基板２７０に号機設定信号が送られても当該搬送制御基板２７０は無応答となり本体制御部８３０はこの搬送制御基板２７０からの応答信号を受信しない。このことにより、本体制御部８３０は９９号機に係る号機設定信号を新たな搬送制御基板２７０に送信する（ＳＴＥＰ４２２）。新たな搬送制御基板２７０は、本体制御部８３０から９９号機に係る号機設定信号を受信すると、応答信号を本体制御部８３０に送信する（ＳＴＥＰ４２７）。このことにより、新たな搬送制御基板２７０の電源がＯＮ状態であるという情報が当該搬送制御基板２７０から本体制御部８３０に送信されるようになる。その後、本体制御部８３０は号機設定準備信号をブロードキャスト通信により各搬送制御基板２７０に送信する（ＳＴＥＰ４２３）。各搬送制御基板２７０は、島端金庫８００の本体制御部８３０から号機設定準備信号を受信すると（ＳＴＥＰ４２８）、応答信号を島端金庫８００の本体制御部８３０に送信する。島端金庫８００の本体制御部８３０は、号機設定準備信号に対する応答信号を受信すると、号機設定信号をブロードキャスト通信により各搬送制御基板２７０に送信する（ＳＴＥＰ４２４）。各搬送制御基板２７０は、島端金庫８００の本体制御部８３０から号機設定信号を受信すると（ＳＴＥＰ４２９）、応答信号を島端金庫８００の本体制御部８３０に送信する。その後、島端金庫８００の本体制御部８３０は、搬送設定信号を各搬送制御基板２７０に送信する（ＳＴＥＰ４２５）。各搬送制御基板２７０は、島端金庫８００の本体制御部８３０から搬送設定信号を受信すると（ＳＴＥＰ４３０）、応答信号を島端金庫８００の本体制御部８３０に送信する。このことにより、島端金庫８００の本体制御部８３０は各搬送制御基板２７０を介して各グループＡ〜Ｃに設けられた紙幣搬送部の設定を行い、よって各グループの紙幣搬送部における紙幣の搬送を管理することができるようになる。また、必要に応じて島端金庫８００の本体制御部８３０は各搬送制御基板２７０に対してイニシャル要求を行い（ＳＴＥＰ４２６）、各搬送制御基板２７０は本体制御部８３０からイニシャル要求を受けると動作に必要な処理（具体的には、リセット、センサやモータの動作チェック等）を行うようになる（ＳＴＥＰ４３１）。
【００５４】
以上のような構成からなる本実施の形態の紙幣搬送システム１０およびその制御方法によれば、直列に並ぶよう複数の紙幣搬送部（具体的には、駆動モータ２６０Ａ〜２６０Ｃと、当該駆動モータ２６０Ａ〜２６０Ｃにより駆動される各ユニット１００、２００、３００、５００、６００、７００の紙幣搬送機構とから構成されるもの）が設けられており、複数の搬送制御基板２７０Ａ〜２７０Ｃのうち少なくとも一つの搬送制御基板（図３等に示す例では搬送制御基板２７０Ａ）に通信可能に接続された本体制御部８３０は、各搬送制御基板２７０Ａ〜２７０Ｃの号機に係る信号を、紙幣搬送部の配置順に合わせて自動で設定することができるようになっている。この場合には、遊技施設への紙幣搬送システム１０の導入時において各搬送制御基板２７０Ａ〜２７０Ｃの号機に係る情報の設定に必要な作業時間を大幅に短縮することができ、また、同一の遊技島内で搬送制御基板２７０Ａ〜２７０Ｃの位置が変更になった場合でも対応することができる。すなわち、従来技術の紙幣搬送システムでは、複数の搬送制御基板の各々の号機に係る情報を、各搬送制御基板に搭載されたスイッチ（具体的には、例えば８桁のＯＮ／ＯＦＦスイッチ）により１台ずつ設定していたが、このような従来技術の紙幣搬送システムでは、遊技施設への紙幣搬送システムの導入時に、各搬送制御基板により号機に係る情報を１台ずつ設定する必要があるため作業時間が長くなってしまうという問題があった。また、同一の遊技島内で搬送制御基板の位置が変更になった場合でも、各制御搬送基板に割り振られた号機に係る情報の設定が自動的に変更されないため、位置が変更となった搬送制御基板は本来の設定とは別の設定で紙幣搬送部の制御を行ってしまうおそれがあった。これに対し、本実施の形態の紙幣搬送システム１０では、このような従来技術の紙幣搬送システムにおける上記の問題点を解消することができる。
【００５５】
また、本実施の形態の紙幣搬送システム１０においては、上述したように、本体制御部８３０は、号機設定信号を各搬送制御基板２７０Ａ〜２７０Ｃに送信する号機設定信号送信手段８３２と、各搬送制御基板２７０Ａ〜２７０Ｃから送信された、号機設定信号に対する応答信号を受信する応答信号受信手段８３４とを有しており、本体制御部８３０は、応答信号受信手段８３４により受信された、各搬送制御基板２７０Ａ〜２７０Ｃから送信された応答信号に基づいて、各搬送制御基板２７０Ａ〜２７０Ｃの号機に係る情報を設定することができるようになっている。このことにより、本体制御部８３０は、各搬送制御基板２７０Ａ〜２７０Ｃの号機に係る信号を、紙幣搬送部の配置順に合わせてスムーズに設定することができるようになる。また、本実施の形態の紙幣搬送システム１０においては、搬送制御基板２７０Ａ〜２７０Ｃの位置が変更された場合に、本体制御部８３０は、応答信号受信手段８３４により受信された、各搬送制御基板２７０Ａ〜２７０Ｃから送信された応答信号に基づいて、各搬送制御基板２７０Ａ〜２７０Ｃの号機に係る情報を自動的に変更することができるようになっている。
【００５６】
また、本実施の形態の紙幣搬送システム１０においては、上述したように、本体制御部８３０において号機に係る情報が設定されている搬送制御基板（例えば、搬送制御基板２７０Ｂ）が、本体制御部８３０において号機に係る情報が設定されていない搬送制御基板（例えば、搬送制御基板２７０Ｂ´）と交換された場合に、本体制御部８３０は、号機に係る情報が設定されていない搬送制御基板２７０Ｂ´に対して号機に係る情報（具体的には、９９号機）を自動的に割り振ることができるようになっている（図５参照）。この場合には、紙幣搬送システム１０においてある搬送制御基板が取り外されて新たな搬送制御基板が取り付けられるような搬送制御基板の交換が行われた場合でも、新たに取り付けられた搬送制御基板が本来の設定（すなわち、交換が行われる前の搬送制御基板における設定）とは別の設定で紙幣搬送部の制御を行ってしまうことを防止することができる。
【００５７】
また、本実施の形態の紙幣搬送システム１０においては、上述したように、互いに隣り合う２つの紙幣搬送部の各々に対応する２つの搬送制御基板２７０Ａ〜２７０Ｃは制御線２０により通信可能に接続されており、複数の搬送制御基板２７０Ａ〜２７０Ｃのうち制御線２０により本体制御部８３０に直接的に通信可能に接続されていない搬送制御基板２７０Ｂ、２７０Ｃは、別の搬送制御基板を介して本体制御部８３０に対して信号の送受信を行うことができるようになっている。
【００５８】
また、本実施の形態の紙幣搬送システム１０においては、上述したように、各搬送制御基板２７０Ａ〜２７０Ｃは、対応する紙幣搬送部の本体部分（具体的には、駆動ユニット２００の筐体内）に設けられている。
【００５９】
なお、本実施の形態による紙幣搬送システム１０やその制御方法は、上述したような態様に限定されることはなく、様々な変更を加えることができる。
【００６０】
例えば、本体制御部８３０と各搬送制御基板２７０との間で送受信される信号（具体的には、通信電文）に、遊技施設の店番号や島端金庫８００の号機に係る情報を含めるようにしてもよい。この場合には、搬送制御基板２７０の同一号機による競合を抑止することができるようになる。
【００６１】
また、本実施の形態では、図１や図２に示す紙幣搬送システム１０（具体的には、第１取込ユニット３００や第２取込ユニット４００）に接続された紙幣入金装置としての台間機の号機の設定を島端金庫８００の本体制御部８３０により行うことができるようになっていてもよい。すなわち、紙幣搬送システム１０に設けられた各搬送制御基板２７０と台間機との間で送受信される制御信号を利用して、本体制御部８３０により台間機の号機の設定を行うことができるようになっていてもよい。このことについて図１０を用いて説明する。図１０は、島端金庫で台間機の号機を設定し、搬送制御基板２７０を経由して、台間機に号機を割り振るときの動作を示すフローチャートである。なお、図１０のフローチャートに示す動作が行われる紙幣搬送システム１０では、各搬送制御基板２７０と、当該搬送制御基板２７０が設けられた紙幣搬送システム１０のグループに対応する台間機とは制御線により互いに通信可能に接続されている。
【００６２】
図１０のフローチャートに示すように、島端金庫８００の本体制御部８３０において台間機の号機の設定が開始されると（ＳＴＥＰ５０１）、当該本体制御部８３０は各搬送制御基板２７０に台間機号機設定信号を送信する（ＳＴＥＰ５０２）。各搬送制御基板２７０は、本体制御部８３０から台間機号機設定信号を受信すると（ＳＴＥＰ５０３）、当該搬送制御基板２７０が設けられた紙幣搬送システム１０のグループに対応する台間機に号機設定準備信号を送信する（ＳＴＥＰ５０４）。台間機は、搬送制御基板２７０から送信された号機設定準備信号を受信すると（ＳＴＥＰ５０５）、号機設定準備を完了し（ＳＴＥＰ５０６）、号機設定準備完了信号を搬送制御基板２７０に送信する。そして、搬送制御基板２７０は、台間機から号機設定準備完了信号を受信すると（ＳＴＥＰ５０７）、号機設定信号を当該台間機に送信する（ＳＴＥＰ５０８）。台間機は、号機設定信号を受信すると（ＳＴＥＰ５０９）、当該台間機において号機設定が完了する（ＳＴＥＰ５１０）。また、台間機は、号機設定が完了すると、号機設定完了信号を搬送制御基板２７０に送信する。そして、搬送制御基板２７０は、台間機から号機設定完了信号を受信すると、台間機の号機設定を完了させ（ＳＴＥＰ５１１）、号機設定完了信号を島端金庫８００の本体制御部８３０に送信する。島端金庫８００の本体制御部８３０は、号機設定完了信号を各搬送制御基板２７０から受信すると、台間機の号機設定を完了させる（ＳＴＥＰ５１２）。このようにして、島端金庫８００の本体制御部８３０による台間機の号機の割り振りが完了する。
【００６３】
なお、本実施の形態の紙幣搬送システム１０では、同様の方法を利用して、遊技施設に設けられたコンソールが島コントローラー経由で台間機の号機の割り振りを行うことができるようになっていてもよい。このような動作について図１１に示すフローチャートを用いて以下に説明する。図１１は、遊技施設に設けられたコンソールで台間機の号機を設定し、島コントローラーを経由して、台間機に号機を割り振るときの動作を示すフローチャートである。なお、図１１のフローチャートに示す動作が行われる遊技施設では、島コントローラーと、当該島コントローラーが設けられた遊技島に対応する台間機とはブロードキャスト通信により双方向に通信可能となっている。
【００６４】
図１１のフローチャートに示すように、コンソールにおいて台間機の号機の設定が行われると（ＳＴＥＰ６０１）、当該コンソールは島コントローラーに台間機号機設定信号を送信し、台間機の号機設定を開始する（ＳＴＥＰ６０２）。島コントローラーは、コンソールから台間機号機設定信号を受信すると（ＳＴＥＰ６０３）、当該島コントローラーが設けられた遊技島に対応する台間機に号機設定準備信号をブロードキャスト通信により送信する（ＳＴＥＰ６０４）。台間機は、島コントローラーから送信された号機設定準備信号を受信すると（ＳＴＥＰ６０５）、号機設定準備を完了し、号機設定準備完了信号を島コントローラーに送信する。そして、島コントローラーは、台間機から号機設定準備完了信号を受信すると、号機設定信号を当該台間機に送信する（ＳＴＥＰ６０６）。台間機は、号機設定信号を受信すると（ＳＴＥＰ６０７）、当該台間機において号機設定が完了する。また、台間機は、号機設定が完了すると、号機設定完了信号を島コントローラーに送信する。そして、島コントローラーは、台間機から号機設定完了信号を受信すると、台間機の号機設定を完了させ、台間機号機設定完了信号をコンソールに送信する（ＳＴＥＰ６０８）。コンソールは、台間機号機設定完了信号を島コントローラーから受信すると（ＳＴＥＰ６０９）、台間機の号機設定を完了させる。このようにして、コンソールによる島コントローラーを介した台間機の号機の割り振りが完了する。
【００６５】
また、本実施の形態の紙幣搬送システム１０では、遊技施設に設けられたコンソールが島端金庫８００の設定を行い、このことにより当該島端金庫８００の本体制御部８３０を介して各搬送制御基板２７０の設定を行うことができるようになっていてもよい。このような動作について図１２に示すフローチャートを用いて以下に説明する。図１２は、遊技施設に設けられたコンソールで島端金庫８００や各搬送制御基板２７０の設定が行われる際の動作を示すフローチャートである。なお、図１２のフローチャートに示す動作が行われる遊技施設では、遊技施設に設けられたコンソールおよび島端金庫８００の本体制御部８３０はＬＡＮにより双方向に通信可能となっている。
【００６６】
図１２のフローチャートに示すように、コンソールにおいて島端金庫８００の設定（および各搬送制御基板２７０の設定）が行われると（ＳＴＥＰ７０１）、当該コンソールは島端金庫設定信号を島端金庫８００の本体制御部８３０に送信する（ＳＴＥＰ７０２）。島端金庫８００の本体制御部８３０は、コンソールから島端金庫設定信号を受信すると（ＳＴＥＰ７０３）、島端金庫８００の設定を更新する（ＳＴＥＰ７０４）。また、島端金庫８００の本体制御部８３０は、号機設定準備信号をブロードキャスト通信により各搬送制御基板２７０に送信する（ＳＴＥＰ７０５）。各搬送制御基板２７０は、島端金庫８００の本体制御部８３０から号機設定準備信号を受信すると（ＳＴＥＰ７０６）、応答信号を島端金庫８００の本体制御部８３０に送信する。島端金庫８００の本体制御部８３０は、号機設定準備信号に対する応答信号を受信すると、号機設定信号をブロードキャスト通信により各搬送制御基板２７０に送信する（ＳＴＥＰ７０７）。各搬送制御基板２７０は、島端金庫８００の本体制御部８３０から号機設定信号を受信すると（ＳＴＥＰ７０８）、応答信号を島端金庫８００の本体制御部８３０に送信する。このようにして、島端金庫８００の本体制御部８３０において各搬送制御基板２７０に対して号機に係る情報が設定されるようになる。その後、島端金庫８００の本体制御部８３０は、搬送設定信号を各搬送制御基板２７０に送信する（ＳＴＥＰ７０９）。各搬送制御基板２７０は、島端金庫８００の本体制御部８３０から搬送設定信号を受信すると（ＳＴＥＰ７１０）、応答信号を島端金庫８００の本体制御部８３０に送信する。このことにより、島端金庫８００の本体制御部８３０は各搬送制御基板２７０を介して紙幣搬送システム１０の各グループに設けられた紙幣搬送部の設定を行い、よって各グループの紙幣搬送部における紙幣の搬送を管理することができるようになる。また、島端金庫８００の本体制御部８３０は、搬送設定信号に対する応答信号を各搬送制御基板２７０から受信すると、島端金庫設定完了信号をコンソールに送信する（ＳＴＥＰ７１１）。そして、コンソールが島端金庫設定完了信号を島端金庫８００の本体制御部８３０から受信すると（ＳＴＥＰ７１２）、島端金庫８００の設定に係る一連の動作が完了する。
【００６７】
また、本実施の形態の紙幣搬送システム１０では、台間機の号機に係る情報を島端金庫８００の本体制御部８３０に通知するようになっていてもよい。このような動作について図１３に示すフローチャートを用いて以下に説明する。図１３は、台間機の号機に係る情報を島端金庫８００の本体制御部８３０に通知する際の動作を示すフローチャートである。
【００６８】
図１３のフローチャートに示すように、島端金庫８００の本体制御部８３０において台間機の号機に係る情報の取得が開始されると（ＳＴＥＰ８０１）、当該本体制御部８３０は各搬送制御基板２７０に台間機号機問合せ信号を送信する（ＳＴＥＰ８０２）。各搬送制御基板２７０は、島端金庫８００の本体制御部８３０から台間機号機問合せ信号を受信すると（ＳＴＥＰ８０３）、号機問合せ信号を台間機に送信する（ＳＴＥＰ８０４）。台間機は、号機問合せ信号を受信すると（ＳＴＥＰ８０５）、当該台間機の号機に係る情報を各搬送制御基板２７０に送信する（ＳＴＥＰ８０６）。各搬送制御基板２７０において、台間機からの号機に係る情報の受信が完了すると（ＳＴＥＰ８０７）、台間機の号機に係る情報を島端金庫８００の本体制御部８３０に送信する（ＳＴＥＰ８０８）。このようにして、島端金庫８００の本体制御部８３０は、台間機の号機に係る情報の取得を完了する（ＳＴＥＰ８０９）。
【００６９】
また、本実施の形態の紙幣搬送システム１０では、台間機は、当該台間機と各搬送制御基板２７０との間で送受信される制御信号を利用して搬送エラー情報を取得し、この台間機の状態表示ランプにてエラー発生箇所を表示するようになっていてもよい。このことにより、店員は紙幣の搬送エラーの発生を検知した搬送制御基板２７０の位置を容易に特定することができるようになり、よって紙幣搬送システム１０におけるどのグループで紙幣の搬送エラーが発生したかを店員は容易に特定することができるようになる。図１４は、台間機が当該台間機と各搬送制御基板２７０との間で送受信される制御信号を利用して搬送エラー情報を取得する際の動作を示すフローチャートである。
【００７０】
図１４のフローチャートに示すように、ある搬送制御基板２７０において紙幣の搬送エラーの発生が検知されると（ＳＴＥＰ９００）、この搬送制御基板２７０は搬送エラー状態を台間機に通知する（ＳＴＥＰ９０１）。台間機は、搬送エラー信号を受信すると（ＳＴＥＰ９０２）、状態表示ランプの内容を変更することにより店員に対して搬送エラーの発生およびどの搬送制御基板２７０で搬送エラーが発生したかという情報を報知する（ＳＴＥＰ９０３）。また、島端金庫８００は各搬送制御基板２７０に対して状態通知を行うが（ＳＴＥＰ９０４）、搬送エラーの発生を検知した搬送制御基板２７０は、この状態通知を受信すると（ＳＴＥＰ９０５）、島端金庫８００にエラー通知を行う。このことにより、島端金庫８００でも状態表示ランプの内容が変更されることにより店員に対してエラー表示が行われる（ＳＴＥＰ９０６）。
【００７１】
また、本実施の形態の紙幣搬送システム１０では、ある搬送制御基板２７０において紙幣の搬送エラーの発生が検知された後、この搬送制御基板２７０は、当該搬送制御基板２７０と台間機との間で送受信される制御信号を利用して、店員がリモコンを操作することにより台間機に対してリセットが行われたことを検知し、このことにより当該搬送制御基板２７０が紙幣の搬送をリセットすることができるようになっていてもよい。なお、この場合には、搬送制御基板２７０と台間機との間で送受信される信号として、搬送リセット用のものが別途用意されていてもよい。図１５は、紙幣の搬送エラーの発生を検知した搬送制御基板２７０が、当該搬送制御基板２７０と台間機との間で送受信される制御信号を利用して搬送リセット情報を取得する際の動作を示すフローチャートである。
【００７２】
図１５のフローチャートに示すように、ある搬送制御基板２７０において紙幣の搬送エラーの発生が検知された後、店員がリモコンを操作して台間機に対してリセットを行い、リモコンのリセットボタンが押下されたことを台間機が受信すると（ＳＴＥＰ１００１）、台間機は、紙幣の搬送エラーの発生を検知した搬送制御基板２７０に対してリモコンのリセットボタンが押下されたことを通知する（ＳＴＥＰ１００２）。紙幣の搬送エラーの発生を検知した搬送制御基板２７０は、リモコンのリセットボタンが押下されたことを受信すると（ＳＴＥＰ１００３）、当該搬送制御基板２７０に対応するグループにおける紙幣の搬送をリセットする（ＳＴＥＰ１００４）。そして、紙幣の搬送のリセットが完了すると（ＳＴＥＰ１００５）、台間機は状態表示ランプの内容を変更することにより紙幣の搬送のリセットが完了したことを店員に報知する（ＳＴＥＰ１００６）。また、島端金庫８００は各搬送制御基板２７０に対して状態通知を行うが（ＳＴＥＰ１００７）、搬送のリセットを完了させた搬送制御基板２７０は、この状態通知を受信すると（ＳＴＥＰ１００８）、島端金庫８００に対してエラー解除通知を行う。このことにより、島端金庫８００でも状態表示ランプの内容が変更されることにより店員に対してエラー解除表示が行われる（ＳＴＥＰ１００９）。
【００７３】
また、本実施の形態の紙幣搬送システム１０では、島端金庫８００の本体制御部８３０と各搬送制御基板２７０との間で上記の通信ケーブル（より詳細には、ＲＳ−４８５通信ケーブル）等の制御線２０による通信が行われない場合でも、１つの制御信号が島端金庫８００の本体制御部８３０と各搬送制御基板２７０との間で送受信されるときには、どの搬送制御基板２７０でエラーが発生しているかを島端金庫８００の本体制御部８３０に通知することができる。このことについて図１６および図１７を用いて説明する。なお、図１７では、島端金庫８００の上流側に４つの搬送制御基板２７０Ａ〜２７０Ｄが連続して直列に通信可能に接続されている態様が示されている。
【００７４】
図１６に示すように、ある搬送制御基板３２０においてエラーが発生したときに、このようなエラーが発生した搬送制御基板２７０は、図１６における参照符号Ａで示すようなパルスを１パルス出力するようになっている。また、搬送制御基板２７０は、エラーが発生していないときには、図１６における参照符号Ｂで示すようなパルスを１パルス出力するようになっている。ここで、エラーが発生したときに出力されるパルスＡのパルス幅の大きさは、エラーが発生していないときに出力されるパルスＢのパルス幅の大きさと異なるようになっている。また、各搬送制御基板２７０においてパルスの送信が完了すると、図１６における参照符号Ｃに示すようにパルスの送信が終了した旨が通知されるようになる。その後、下流側の各搬送制御基板２７０は、この下流側の搬送制御基板２７０に係る１つのパルスを追加して信号を出力する。このようなパルス信号の送信が上流側の搬送制御基板２７０から下流側の搬送制御基板２７０に向かって順に行われ、最終的に島端金庫８００の本体制御部８３０がパルス信号を受信するようになる。島端金庫８００の本体制御部８３０は、受信したパルス信号においてパルスＡの有無およびこのパルスＡの順番に基づいて、どの搬送制御基板２７０でエラーが発生したかを特定する。
【００７５】
より詳細には、図１７に示すような各搬送制御基板２７０Ａ〜２７０Ｄのうち例えば搬送制御基板２７０Ｄ（４号機）においてエラーが発生したときには、この４号機の搬送制御基板２７０Ｄはパルス信号としてパルスＡを出力し、３号機の搬送制御基板２７０Ｃに対してこのパルス信号を送信する。３号機の搬送制御基板２７０Ｃは、４号機の搬送制御基板２７０Ｄからパルス信号を受信すると、当該搬送制御基板２７０Ｃに係るパルスＢを上記のパルスＡに追加して出力し、２号機の搬送制御基板２７０Ｂに対してこのパルス信号を送信する。２号機の搬送制御基板２７０Ｂは、３号機の搬送制御基板２７０Ｃからパルス信号を受信すると、当該搬送制御基板２７０Ｂに係るパルスＢを上記のパルスＡ、パルスＢに更に追加して出力し、１号機の搬送制御基板２７０Ａに対してこのパルス信号を送信する。１号機の搬送制御基板２７０Ａは、２号機の搬送制御基板２７０Ｂからパルス信号を受信すると、当該搬送制御基板２７０Ａに係るパルスＢを上記のパルスＡ、パルスＢ、パルスＢに更に追加して出力し、島端金庫８００の本体制御部８３０に対してこのパルス信号を送信する。島端金庫の本体制御部８３０は、受信したパルス信号におけるパルス数が４個であるとともにパルスＡが１番目であるという情報に基づいて、下流側から４番目の搬送制御基板２７０（すなわち、４号機の搬送制御基板２７０Ｄ）においてエラーが発生したことを検知することができるようになる。
【符号の説明】
【００７６】
１０        紙幣搬送システム
２０        制御線
１００      紙幣搬送ユニット
１１０      搬送ベルト
２００      駆動ユニット
２１０      搬送ベルト
２６０、２６０Ａ、２６０Ｂ、２６０Ｃ  駆動モータ
２７０、２７０Ａ、２７０Ｂ、２７０Ｂ´、２７０Ｃ、２７０Ｄ  搬送制御基板
３００      第１取込ユニット
３０４      紙幣取込口
３１２、３１４  搬送ローラ
３３０      紙幣取込機構
４００      第２取込ユニット
４０４      紙幣取込口
４３０      紙幣取込機構
５００      伸縮ユニット
５０２      本体部
５０４      可動部
５１０      搬送ベルト
５３０      紙幣通過センサ
６００      第１屈曲ユニット
６０２      第１本体部
６０４      第２本体部
６０６      軸
７００      第２屈曲ユニット
７０２      第１本体部
７０４      第２本体部
７０６      軸
８００      島端金庫
８０２      筐体
８０４      扉
８１０      収納庫
８２０      一時保留部
８３０      本体制御部
８３２      号機設定信号送信手段
８３４      応答信号受信手段
９００、９５０  カバー部
【図１】
2016083269.tif 000003
【図２】
2016083269.tif 000004
【図３】
2016083269.tif 000005
【図４】
2016083269.tif 000006
【図５】
2016083269.tif 000007
【図６】
2016083269.tif 000008
【図７】
2016083269.tif 000009
【図８】
2016083269.tif 000010
【図９】
2016083269.tif 000011
【図１０】
2016083269.tif 000012
【図１１】
2016083269.tif 000013
【図１２】
2016083269.tif 000014
【図１３】
2016083269.tif 000015
【図１５】
2016083269.tif 000016
【図１６】
2016083269.tif 000017
【図１７】
2016083269.tif 000018
【図１４】
2016083269.tif 000019